(57)【要約】【課題】折戸の吊元側扉及び戸先側扉に偏心ピボットを嵌め込む取付作業に際して、吊元側扉への取り付けか戸先側扉への取り付けかの区別を一目瞭然に、戸惑ったり或いは嵌め込み違いをすることなく取付作業が行えるようにする。【解決手段】本偏心ピボット１を、例えば吊元側扉２ａの上面２ａ１に取り付ける場合には、本偏心ピボット１の鍔部４ａに施されている刻印「←吊元」に留意しつつ、更には、本実施の形態では、鍔部４ａに施されている片面取りの形状にも留意しつつ、刻印「←吊元」及び片面取りの形状部位が吊元側扉２ａの木口面２ａ２側に位置するように鍔部４ａを配置して、当該吊元側扉２ａに設けられた所定の有底穴にピボットソケット４の筒体部４ｂを嵌め込んで取り付けさえすればよい。嵌め込みが完了したときには、鍔部４ａの一方端面４ａ２と木口面２ａ２とが面一になるので嵌め込みの正否を確認できる。【選択図】図２
2012149465.tif 000002
【特許請求の範囲】
【請求項１】
折戸の吊元側扉に対し当該折戸の戸先側扉をスムーズに閉成させるためにこれら吊元側扉及び戸先側扉にそれぞれ取り付けられる同一形状をなす偏心ピボットの取付方法であって、前記偏心ピボットを前記吊元側扉の上面及び下面並びに前記戸先側扉の上面及び下面で、且つ、前記偏心ピボットのピボットソケットに偏心して挿入された前記偏心ピボットのピボットシャフトの軸心位置が前記吊元側扉と前記戸先側扉とでは異なるようにそれぞれ取り付ける場合、前記ピボットソケットに設けられた鍔部の両端に識別マークＡ，Ｂをそれぞれ施し、当該識別マークＡが前記吊元側扉の木口面側に位置するように前記鍔部を配置して、また、当該識別マークＢが前記戸先側扉の木口面側に位置するように前記鍔部を配置して前記偏心ピボットをそれぞれ取り付けてなることを特徴とする折戸の偏心ピボットの取付方法。
【請求項２】
折戸の吊元側扉に対し当該折戸の戸先側扉をスムーズに閉成させるためにこれら吊元側扉及び戸先側扉にそれぞれ取り付けられる同一形状をなす偏心ピボットの取付方法であって、前記偏心ピボットが従来のピボットとこれを嵌挿するピボットケースとで構成される場合、前記偏心ピボットを前記吊元側扉の上面及び下面並びに前記戸先側扉の上面及び下面で、且つ、前記ピボットケースに偏心して嵌挿された前記従来のピボットの軸心位置が前記吊元側扉と前記戸先側扉とでは異なるようにそれぞれ取り付ける場合、前記ピボットケースに設けられた鍔部の両端に識別マークＡ，Ｂをそれぞれ施し、当該識別マークＡが前記吊元側扉の木口面側に位置するように前記鍔部を配置して、また、当該識別マークＢが前記戸先側扉の木口面側に位置するように前記鍔部を配置して前記偏心ピボットをそれぞれ取り付けてなることを特徴とする折戸の偏心ピボットの取付方法。
【請求項３】
折戸の吊元側扉に対し当該折戸の戸先側扉をスムーズに閉成させるためにこれら吊元側扉及び戸先側扉にそれぞれ取り付けられる同一形状をなす偏心ピボットの取付方法であって、前記偏心ピボットが従来のピボットとこれを嵌挿するピボットケースとで構成される場合、前記偏心ピボットを前記吊元側扉の上面及び下面並びに前記戸先側扉の上面及び下面で、且つ、前記ピボットケースに偏心して嵌挿された前記従来のピボットの軸心位置が前記吊元側扉と前記戸先側扉とでは異なるようにそれぞれ取り付ける場合、治具に設けられた鍔部に所定間隔を空けて識別マークＡ，Ｂをそれぞれ施し、前記治具を前記吊元側扉の木口面に当接して位置決めしたときには、前記識別マークＡのところに前記従来のピボットの軸心が位置するように配置して、また、前記治具を前記戸先側扉の木口面に当接して位置決めしたときには、前記識別マークＢのところに前記従来のピボットの軸心が位置するように配置して前記偏心ピボットを取り付けてなることを特徴とする折戸の偏心ピボットの取付方法。
【請求項４】
前記鍔部に設けられた識別マークＡ，Ｂに代えて、又は当該識別マークＡ，Ｂを施したまま前記鍔部の両端部先端を互いに異なる形状にし、これらのうちの一方の形状が前記吊元側扉の木口面側に位置するように前記鍔部を配置して、また、他方の形状が前記戸先側扉の木口面側に位置するように前記鍔部を配置して前記偏心ピボットを取り付けてなることを特徴とする請求項１又は２に記載の折戸の偏心ピボットの取付方法。
【発明の詳細な説明】
【技術分野】
【０００１】
本発明は、折戸の吊元側扉や戸先側扉に取り付けられる偏心ピボットの取付方法に関するものである。
【背景技術】
【０００２】
折戸の吊元側扉及び戸先側扉に同一形状をなす偏心ピボットをそれぞれ取り付け、当該偏心ピボットを折戸の開口間口に設けられたレールに介装させて折戸の開閉を行うときに、折戸の吊元側扉に対し当該折戸の戸先側扉をスムーズに閉成させるための工夫がなされているものがある（例えば、特許文献１）。
特許文献１に開示のものは、図１２（Ａ）に示すように、偏心ピボットが偏心ユニット１００と偏心ソケット１０１で構成され、このうちの偏心ユニット１００は、軸筒１００ａの上部外周につば１００ｂを設け、軸筒１００ａ内のコイルばねで上方へ付勢した軸１００ｃを軸筒１００ａ内から上方へ突出させ、軸１００ｃの上方に横型のガイドローラ１００ｄを取り付けたものであり、偏心ソケット１０１は、上方に小判形のつば１０１ａを設け、一方に片寄った位置に偏心ユニット１００の軸筒１００ａ及びつば１００ｂが嵌る穴１０１ｂ及びくぼみ１０１ｃを設けたものである。尚、偏心ソケット１０１の穴１０１ｂの中心ａは当該偏心ソケット１０１の中心ｂから外れた位置にある。そして、図１２（Ｂ）のように偏心ソケット１０１に偏心ユニット１００が組み付けられた偏心ピボットは、図１２（Ａ）に示すような折戸１０２の、小判形の穴１０２ａ及びくぼみ１０２ｂに嵌め込まれる。この嵌め込みに際しては、図１２（Ｃ）の状態になるように嵌め込む。即ち、折戸の吊元側扉及び戸先側扉に偏心ピボットを嵌め込みに際しては、吊元側扉の偏心ソケット１０１の中心と蝶番１０３の中心との間の長さｃは、戸先側扉の偏心ソケット１０１の中心と蝶番１０３の中心との間の長さｄに等しいが、吊元側扉の偏心ユニット１００の軸１００ｃの中心と蝶番１０３の中心との間の長さｅは、戸先側扉の偏心ユニット１００の軸１００ｃの中心と蝶番１０３の中心との間の長さｆに等しくなく、ｆ＞ｅになるように偏心ピボットを嵌め込む。これにより、吊元側扉に対し当該折戸の戸先側扉をスムーズに閉成させることができるようになる。
【０００３】
しかしながら、特許文献１には、偏心ピボットを、折戸の吊元側扉や戸先側扉
に嵌め込む際に、例えば吊元側扉の場合には、偏心ピボットの軸１００ｃが上述した長さｅ（＜ｆ）になるような位置に配置されるように嵌め込む必要があるが、この嵌め込みに際しての区別のしかたが開示されておらず、嵌め込み作業を行う者にとっては、一目瞭然とは言えず、戸惑ったり或いは嵌め込み違いをするという問題が生じてしまう。また、吊元側扉や戸先側扉に穴１０２ａのような小判形状穴を施す場合に、単純な丸穴でないので作業工数も要するという問題が生じてしまう。
【特許文献１】特開２０００−１２９９９９（第３，４頁、図１〜６）
【発明の開示】
【発明が解決しようとする課題】
【０００４】
解決しようとする問題点は、折戸の吊元側扉及び戸先側扉に偏心ピボットを嵌め込む取付作業に際して、吊元側扉への取り付けか戸先側扉への取り付けかの区別を一目瞭然に、戸惑ったり或いは嵌め込み違いをすることなく取付作業が行えるようにする点であり、また、吊元側扉や戸先側扉に施す加工穴を単純な丸穴として作業工数を減らすようにする点である。
【課題を解決するための手段】
【０００５】
本発明の請求項１に係る折戸の偏心ピボットの取付方法は、折戸の吊元側扉に対し当該折戸の戸先側扉をスムーズに閉成させるためにこれら吊元側扉及び戸先側扉にそれぞれ取り付けられる同一形状をなす偏心ピボットの取付方法であって、前記偏心ピボットを前記吊元側扉の上面及び下面並びに前記戸先側扉の上面及び下面で、且つ、前記偏心ピボットのピボットソケットに偏心して挿入された前記偏心ピボットのピボットシャフトの軸心位置が前記吊元側扉と前記戸先側扉とでは異なるようにそれぞれ取り付ける場合、前記ピボットソケットに設けられた鍔部の両端に識別マークＡ，Ｂをそれぞれ施し、当該識別マークＡが前記吊元側扉の木口面側に位置するように前記鍔部を配置して、また、当該識別マークＢが前記戸先側扉の木口面側に位置するように前記鍔部を配置して前記偏心ピボットをそれぞれ取り付けてなるもので、本方法に拠れば、鍔部の識別マークＡ，Ｂに合わせて、偏心ピボットを吊元側扉の偏心ピボットとして嵌め込ませ、或いは戸先側扉の偏心ピボットとして嵌め込ませればよいので、取り付けに際して一目瞭然に区別でき、戸惑ったり或いは嵌め込み違いをすることなく行える。
尚、識別マークは、アルファベットのＡ，Ｂに限らないことはもちろんであり、例えば後述の実施例にあるように、「←吊元」や「←戸先」のような表示でもよい。
【０００６】
本発明の請求項２に係る折戸の偏心ピボットの取付方法は、折戸の吊元側扉に対し当該折戸の戸先側扉をスムーズに閉成させるためにこれら吊元側扉及び戸先側扉にそれぞれ取り付けられる同一形状をなす偏心ピボットの取付方法であって、前記偏心ピボットが従来のピボットとこれを嵌挿するピボットケースとで構成される場合、前記ピボットケースを前記吊元側扉の上面及び下面並びに前記戸先側扉の上面及び下面で、且つ、前記従来のピボットのピボットシャフトの軸心位置が前記吊元側扉と前記戸先側扉とでは異なるようにそれぞれ取り付ける場合、前記ピボットケースに設けられた鍔部の両端に識別マークＡ，Ｂをそれぞれ施し、当該識別マークＡが前記吊元側扉の木口面側に位置するように前記鍔部を配置して、また、当該識別マークＢが前記戸先側扉の木口面側に位置するように前記鍔部を配置して前記偏心ピボットをそれぞれ取り付けてなるもので、従来のピボットについても、ピボットケースの識別マークＡ，Ｂに合わせて、偏心ピボットを吊元側扉の偏心ピボットとして嵌め込ませ、或いは戸先側扉の偏心ピボットとして嵌め込ませればよいので、取り付けに際して一目瞭然に区別でき、戸惑ったり或いは嵌め込み違いをすることなく行える（但し、ピボットケースは新規に設定する必要がある）。
【０００７】
本発明の請求項３に係る折戸の偏心ピボットの取付方法は、折戸の吊元側扉に対し当該折戸の戸先側扉をスムーズに閉成させるためにこれら吊元側扉及び戸先側扉にそれぞれ取り付けられる同一形状をなす偏心ピボットの取付方法であって、前記偏心ピボットが従来のピボットとこれを嵌挿するピボットケースとで構成される場合、前記ピボットケースを前記吊元側扉の上面及び下面並びに前記戸先側扉の上面及び下面で、且つ、前記ピボットソケットに圧入されたピボットシャフトの軸心位置が前記吊元側扉と前記戸先側扉とでは異なるようにそれぞれ取り付ける場合、治具に設けられた鍔部に所定間隔を空けて識別マークＡ，Ｂをそれぞれ施し、前記治具を前記吊元側扉の木口面に当接して位置決めしたときには、前記識別マークＡのところに前記従来のピボットの軸心が位置するように配置して、また、前記治具を前記戸先側扉の木口面に当接して位置決めしたときには、前記識別マークＢのところに前記従来のピボットの軸心が位置するように配置して前記偏心ピボットを取り付けてなるもので、上記請求項２の方法では識別マークＡ，Ｂは偏心ピボットのピボットケースに設けられる鍔部に施されていたが、本方法では、識別マークＡ，Ｂを偏心ピボットとは別体の治具に施し、従来のピボットについても、治具の識別マークＡ，Ｂに合わせて、偏心ピボットを吊元側扉の偏心ピボットとして嵌め込ませ、或いは戸先側扉の偏心ピボットとして嵌め込ませればよいので、取り付けに際して一目瞭然に区別でき、戸惑ったり或いは嵌め込み違いをすることなく行える（但し、ピボットケースは新規に設定する必要がある）。
【０００８】
本発明の請求項４に係る折戸の偏心ピボットの取付方法は、前記鍔部に設けられた識別マークＡ，Ｂに代えて、又は当該識別マークＡ，Ｂを施したまま前記鍔部の両端部先端を互いに異なる形状にし、これらのうちの一方の形状が前記吊元側扉の木口面側に位置するように前記鍔部を配置して、また、他方の形状が前記戸先側扉の木口面側に位置するように前記鍔部を配置して前記偏心ピボットを取り付けてなるもので、上記請求項１，２の識別マークＡ，Ｂに代えて、又は当該識別マークＡ，Ｂを施したままで、上記鍔部の両端部先端の形状を変えることにより、偏心ピボットを吊元側扉の偏心ピボットとして、或いは戸先側扉の偏心ピボットとして嵌め込ませればよいので、取り付けに際して一目瞭然に識別でき、戸惑ったり或いは嵌め込み違いをすることなく確実に行える。
【発明の効果】
【０００９】
本発明の折戸の偏心ピボットの取付方法は、偏心ピボットを折戸の吊元側扉や戸先側扉に嵌め込む取付作業を行う場合、吊元側扉への取り付けか戸先側扉への取り付けかの区別を一目瞭然に、戸惑ったり或いは嵌め込み違いをすることなく取付作業が行えるようにした点、加えて、吊元側扉や戸先側扉に施す加工穴を単純な丸穴として作業工数を減らすようにした点で優れている。
【発明を実施するための最良の形態】
【００１０】
本発明の第１の実施の形態に係る折戸の偏心ピボットの取付方法について、図１〜５を参照して説明する。
本取付方法に係る偏心ピボット１は、後述のように折戸２の吊元側扉２ａ及びこの吊元側扉２ａに蝶番（図示せず）で連結された戸先側扉２ｂに取り付けられる同一形状をなす金具である。但し、吊元側扉２ａの下面に設けられる偏心ピボットは、後述するように偏心ピボット１とは形状が若干異なっている。
図１に示すように、吊元側扉２ａの上面２ａ１に設けられる偏心ピボット１は（この上面２ａ１に対応して下面に設けられる偏心ピボットについても同様に）、固定枠体３の上下枠体（同図では、上枠３ａのみが描かれている）に設けられたガイドレール（図示せず）に当該ガイドレールに対して移動することなく当該吊元側扉２ａを回動可能に支持するものであるが、戸先側扉２ｂの上面２ｂ１に（この上面２ｂ１に対応して下面にも）設けられる偏心ピボット１は、吊元側扉２ａに対する戸先側扉２ｂの開成・閉成に際して当該ガイドレールに沿って摺動するものである。この閉成の摺動に際して、折戸の吊元側扉２ａに対し戸先側扉２ｂをスムーズに閉成させるために、偏心ピボット１の取付位置が吊元側扉２ａと戸先側扉２ｂとでは異なるように取り付けられる。即ち、吊元側扉２ａの偏心ピボット１は、図２（Ｂ）に示すように、当該偏心ピボット１のピボットシャフトの軸心が吊元側扉２ａの木口面２ａ２から長さＰだけ離隔した当該吊元側扉２ａの上面２ａ１に位置するようにして取り付けられる一方、戸先側扉２ｂの偏心ピボット１は、図３（Ｂ）に示すように、当該偏心ピボット１のピボットシャフトの軸心が戸先側扉２ｂの木口面２ｂ２から長さＱ（＜Ｐ）だけ離隔した当該戸先側扉２ｂの上面２ｂ１に位置するようにして取り付けられる。
【００１１】
本偏心ピボット１の構造を図４，５を参照して説明する。
本偏心ピボット１は、細長な略矩形状薄板の鍔部４ａ及びこの鍔部４ａの中央に固着される円形状の筒体部４ｂからなるピボットソケット４と、このピボットソケット４に設けられた長円形状の挿入穴４ｂ１に挿入されるピボットシャフト５と、このピボットシャフト５のシャフト部５ａの上端部５ｂに嵌着する帽子形状の摺動駒６と、このピボットシャフト５の長円形状の、一方のスプリング座としてなる下端面５ａ２に当接して設けられるスプリング７と、このスプリング７の他方のスプリング座としてなる、ピボットソケット４の最下端部に螺着する凸状の蓋体８とで構成されている。
【００１２】
このうちのピボットソケット４の鍔部４ａには、この鍔部４ａに固着される筒体部４ｂの軸心に対し偏心して円形状の通穴４ａ１が設けられ、ピボットソケット４にピボットシャフト５が挿入されたときに上記通穴４ａ１から当該ピボットシャフト５のシャフト部５ａが突出するようになる（図４（Ｂ），（Ｃ）参照）。したがって、ピボットソケット４の筒体部４ｂの軸心とピボットシャフト５の軸心とは所定量（具体的には、長さ（Ｐ−Ｑ）／２）だけ離隔していることになる。そして、この鍔部４ａの、通穴４ａ１から遠い方の一方端面４ａ２には片面取りが、また、この鍔部４ａの、通穴４ａ１に近い方の他方端面４ａ３には両面取りが施され、鍔部４ａの両端面が互いに異なる形状をなしている。更に、この鍔部４ａの、通穴４ａ１から遠い方の一方端面４ａ２寄りには「←吊元」の刻印（識別マークＡ）が施され、また、この鍔部４ａの、通穴４ａ１に近い方の他方端面４ａ３寄りには「←戸先」の刻印（識別マークＢ）が施されている。
【００１３】
ピボットシャフト５のシャフト部５ａは、当該シャフト部５ａの略中央から下端面５ａ２に至るところにはシャフト部５ａの軸心とは上述した長さ（Ｐ−Ｑ）／２だけ離隔した軸心を有してなる長円形状のシャフト部５ａ１が形成されており、このシャフト部５ａ１が、ピボットソケット４にピボットシャフト５が挿入されたときに上記挿入穴４ｂ１に嵌挿される。
尚、摺動駒６は、上述のように帽子形状をなす部材であるが、この摺動駒６の先端部がガイドレールに係合する。また、スプリング７は、ピボットシャフト５の下端面５ａ２と蓋体８との間に介装されたとき、上記通穴４ａ１からピボットシャフト５のシャフト部５ａを突出させる方向に当該ピボットシャフト５を付勢する。また、蓋体８は、上述のように凸状をなす部材であるが、この下面には凹溝が設けられており、この凹溝を用いてピボットソケット４に螺着される。
ところで、上述したように、吊元側扉２ａの下面に設けられる偏心ピボットは、偏心ピボット１とは形状が若干異なっている。その異なっているところは、スプリング７や摺動駒６に相当する部材を設けていない点であり、また、ピボットシャフト５に相当するピボットシャフトが上下方向（当該シャフトの長手方向）に調整可能になっている点であるが、吊元側扉２ａの下面に取り付ける取付方法は、偏心ピボット１と全く同じであり、したがって、その説明は割愛する。
【００１４】
本偏心ピボット１の吊元側扉２ａ及び戸先側扉２ｂへの取付方法について図２，３を参照して説明する。
まず、本偏心ピボット１を、図２を参照して吊元側扉２ａの上面２ａ１に取り付ける場合を説明すると、本偏心ピボット１の鍔部４ａに施されている刻印「←吊元」に留意しつつ、更には、本実施の形態では、鍔部４ａに施されている片面取りの形状にも留意しつつ、刻印「←吊元」及び片面取りの形状部位が吊元側扉２ａの木口面２ａ２側に位置するように鍔部４ａを配置して、当該吊元側扉２ａに設けられた所定の有底の単純な丸穴にピボットソケット４の筒体部４ｂを嵌め込んで取り付けさえすればよい。嵌め込みが完了したときの正否は、鍔部４ａの一方端面４ａ２と木口面２ａ２とが面一になるので直ちに確認できる。したがって、この取り付けを行う者にとっては、かかる取付方法に拠れば、一目瞭然に区別でき、戸惑ったり或いは嵌め込み違いをするというような問題が生ずることは一切ない。
【００１５】
次に、本偏心ピボット１を、図３を参照して戸先側扉２ｂの上面２ｂ１に取り付ける場合（この上面２ｂ１に対応して下面に取り付ける場合も同様）を説明すると、本偏心ピボット１の鍔部４ａに施されている刻印「←戸先」に留意しつつ、更には、本実施の形態では、鍔部４ａに施されている両面取りの形状にも留意しつつ、刻印「←戸先」及び両面取りの形状部位が戸先側扉２ｂの木口面２ｂ２側に位置するように鍔部４ａを配置して、当該戸先側扉２ｂに設けられた上記丸穴にピボットソケット４の筒体部４ｂを嵌め込んで取り付けさえすればよい。嵌め込みが完了したときには、鍔部４ａの他方端面４ａ３と木口面２ｂ２とが面一になるので嵌め込みの正否を確認できる。したがって、この取り付けを行う者にとっては、かかる取付方法に拠れば、一目瞭然に区別でき、戸惑ったり或いは嵌め込み違いをするというような問題が生ずることは一切ない。
【００１６】
次に、本発明の第２の実施の形態に係る折戸の偏心ピボットの取付方法について、図６〜８を参照して説明する。尚、図６〜８において、図１〜５中の構成要素と同一のものについては同一番号を付し、その説明は割愛する。
本取付方法に係る偏心ピボット１０は、従来のピボット１１と、このピボット１１が挿入されるピボットケース１２（上記ピボットソケット４に相当する。）とで構成され（図６参照）、かかる構成において、ピボット１１のピボットシャフト１１ａの軸心と、当該ピボット１１（具体的には、ピボット１１のピボットソケット１１ｂ）が挿入されるピボットケース１２の円形状穴の軸心とが所定量、即ち、上述した長さ（Ｐ−Ｑ）／２だけ離隔した位置関係を形成するようにされている（図８参照）。
【００１７】
従来のピボット１１は、図８に示すように、一方端に摺動駒６が設けられた円形状のピボットシャフト１１ａと、これが挿入される有底の挿入穴（図示せず）が設けられたピボットソケット１１ｂとから構成され、このピボットソケット１１ｂの外周に、円周方向に沿って４等分の間隔を空けて、且つ、当該ピボットソケット１１ｂの長手方向に亘って小突起１１ｂ１が設けられたものであり、この小突起１１ｂ１は、ピボット１１をピボットケース１２に嵌挿するときの位置決めとしての機能を果たすものである。尚、従来のピボット１１にも、上記スプリング７に相当するスプリング（図示せず）が介装されており、これにより、ピボットシャフト１１ａは、ピボットソケット１１ｂの挿入穴から突出する方向に付勢されている。
【００１８】
本偏心ピボット１０のピボットケース１２は、図７に示すように、上記鍔部４ａに相当する鍔部１２ａと上記筒体部４ｂに相当する筒体部１２ｂとで構成されている。
このうちの鍔部１２ａには、この鍔部１２ａの長手方向で、且つ、当該鍔部１２ａの中央から上述した長さ（Ｐ−Ｑ）／２だけ離隔した位置を軸心とする円形状の通穴１２ａ１が設けられ、この通穴１２ａ１を介してピボット１１が後述の筒体部１２ｂの挿入穴１２ｂ１に嵌挿される。
ところで、鍔部１２ａにおいても上記鍔部４ａと同様に、この鍔部１２ａの、通穴１２ａ１から遠い方の一方端面１２ａ２には片面取りが、また、この鍔部１２ａの、通穴１２ａ１に近い方の他方端面１２ａ３には両面取りが施されている。更に、この鍔部１２ａの、通穴１２ａ１から遠い方の一方端面１２ａ２寄りには「←吊元」の刻印（識別マークＡ）が施され、また、この鍔部１２ａの、通穴１２ａ１に近い方の他方端面１２ａ３寄りには「←戸先」の刻印（識別マークＢ）が施されている。
【００１９】
また、図８に示すように、ピボットケース１２の筒体部１２ｂは、鍔部１２ａの中央を軸心として当該鍔部１２ａに固着される円筒状部材で、この筒体部１２ｂには、当該筒体部１２ｂの軸心から長さ（Ｐ−Ｑ）／２だけ離隔した位置（この位置は、鍔部１２ａの通穴１２ａ１（図７参照）の軸心位置と一致する。）を軸心とする有底の円形状穴１２ｂ１が設けられ、この円形状の挿入穴１２ｂ１にピボット１１が嵌挿される。但し、この円形状穴１２ｂ１は、本実施の形態では同図のＡ−Ａ断面図に示すように、断面略Ｃ字状の内壁面を有する穴であり、したがって、この穴にピボット１１が嵌挿されたとき、この穴からピボット１１が部分的にはみ出す態様となる。したがって、ピボットケース１２の筒体部１２ｂの軸心とピボット１１の軸心とは所定量（具体的には、長さ（Ｐ−Ｑ）／２）だけ離隔していることになる。尚、このはみ出しは、吊元側扉２ａや戸先側扉２ｂの厚みとの関係で採られた構造であって、吊元側扉２ａや戸先側扉２ｂの厚みが十分であれば、このような内壁面が断面略Ｃ字状の円形状穴１２ｂ１にする必要はない。
ところで、ピボットケース１２の筒体部１２ｂの内周には、ピボットソケット１１ｂの小突起１１ｂ１に係合し、上記位置決め機能を持たせるべく小案内溝（図示せず）が、円周方向に沿って４等分の間隔を空けて、且つ、当該筒体部１２ｂの長手方向に亘って設けられている。
【００２０】
本偏心ピボット１０の吊元側扉２ａ及び戸先側扉２ｂへの取付方法は、上述した偏心ピボット１の吊元側扉２ａ及び戸先側扉２ｂへの取付方法と全く同様であるので、その説明は割愛するが、本偏心ピボット１０においても、かかる取付方法に拠れば、この取り付けを行う者にとっては一目瞭然に区別でき、戸惑ったり或いは嵌め込み違いをするというような問題が生ずることは一切ない。
【００２１】
次に、本発明の第３の実施の形態に係る折戸の偏心ピボットの取付方法について、図９〜１１を参照して説明する。尚、図９〜１１において、図１〜８中の構成要素と同一のものについては同一番号を付し、その説明は割愛する。
本実施の形態に係る折戸の偏心ピボットの取付方法は、上記第１，２の実施の形態に係る折戸の偏心ピボットの取付方法が偏心ピボット１の鍔部４ａや偏心ピボット１０の鍔部１２ａに刻印「←吊元」及び刻印「←戸先」を施して（この例では、併せて鍔部４ａや鍔部１２ａの両端面の形状も互いに異ならしめている。）、取り付けに際しての上記不具合を解消させるものであったが、刻印「←吊元」及び刻印「←戸先」（識別マークＡ，Ｂ）を治具３０に設けられた鍔部３１に施して、取り付けに際しての上記不具合を解消させるようにしたものである。
【００２２】
本取付方法に係る偏心ピボット２０は、上記ピボット１１と、このピボット１１が嵌挿されるピボットケース２２（上記ピボットソケット４に相当する）とで構成され（図９参照）、かかる構成において、ピボット１１のピボットシャフト１１ａの軸心と、ピボット１１（具体的には、ピボット１１のピボットソケット１１ｂ）が嵌挿されるピボットケース２２の円形状穴の軸心とが所定量、即ち、上述した長さ（Ｐ−Ｑ）／２だけ離隔した位置関係を形成するようにされている。
本偏心ピボット２０のピボットケース２２は、図９に示すように、鍔部２２ａと上記筒体部４ｂに相当する筒体部２２ｂとで構成されている。
このうちの鍔部２２ａは、矩形状の薄板にＵ字状の開口溝２２ａ１を設けた部材であり、しかも、このＵ字状の湾曲部を半円形状に、且つ、当該半円形の軸心を当該鍔部２２ａの中心から所定量、即ち上述した長さ（Ｐ−Ｑ）／２だけ開口溝２２ａ１寄りに設けた部材であり、この開口溝２２ａ１を介してピボット１１が後述の筒体部２２ｂの挿入穴２２ｂ１に嵌挿される。尚、この鍔部２２ａには、上述のような刻印「←吊元」や刻印「←戸先」は施されていない。
【００２３】
また、ピボットケース２２の筒体部２２ｂは、上述したピボットケース１２の筒体部１２ｂとほぼ同一形状の、鍔部２２ａの中央を軸心として当該鍔部２２ａに固着される円筒状部材で、この筒体部２２ｂには、当該筒体部２２ｂの軸心から長さ（Ｐ−Ｑ）／２だけ離隔した位置（この位置は、鍔部２２ａにおける開口溝２２ａ１の半円形の軸心位置と一致する。）を軸心とする有底の円形状穴２２ｂ１が設けられ、この円形状穴２２ｂ１にピボット１１が嵌挿される。但し、この円形状穴２２ｂ１は、上記円形状穴１２ｂ１と同様に、断面略Ｃ字状の内壁面を有する穴であり、したがって、この穴にピボット１１が嵌挿されたとき、この穴からピボット１１が部分的にはみ出す態様となる。したがって、ピボットケース２２の筒体部２２ｂの軸心とピボット１１の軸心とは所定量（具体的には、長さ（Ｐ−Ｑ）／２）だけ離隔していることになる（図９参照）。
尚、このはみ出しは、吊元側扉２ａや戸先側扉２ｂの厚みとの関係で採られた構造であって、吊元側扉２ａや戸先側扉２ｂの厚みが十分であれば、このような内壁面が断面略Ｃ字状の円形状穴２２ｂ１にする必要はないことはもちろんである。
尚、ピボットケース２２の筒体部２２ｂの内周には、ピボットソケット１１ｂの小突起１１ｂ１に係合し、上記位置決め機能を持たせるべく小案内溝（図示せず）が、円周方向に沿って４等分の間隔を空けて、且つ、当該筒体部２２ｂの長手方向に亘って設けられていることはもちろんである。
【００２４】
一方、本方法に用いる治具３０は、図１０に示すように、水平枠体の鍔部３１と、この鍔部３１に垂直な垂直枠体の支持体３２からなる逆Ｌ字状部材であり、この鍔部３１の先端部には、当該鍔部３１の長手方向の中心線を溝幅の中心線とする細長な略Ｕ字状の開口溝３１ａが設けられ、この開口溝３１ａの溝幅はピボット１１のピボットシャフト１１ａの径よりいくらか大き目に設けられている。また、この鍔部３１の上面３１ｂ側で、且つ、開口溝３１ａの直線をなす溝縁近傍の位置に「←吊元」の刻印（識別マークＡ）及び「←戸先」の刻印（識別マークＢ）が施されている。「←吊元」の刻印は、支持体３２の内壁面３２ａから長さＰの位置に施され、また、「←戸先」の刻印、支持体３２の内壁面３２ａから長さＱの位置に施されている。尚、この鍔部３１の下面３１ｃ側で、且つ、開口溝３１ａの溝周域にはピボットケース２２の鍔部２２ａが収容される空間を形成してなる溝３１ｃ１が設けられている。
【００２５】
本偏心ピボット２０の吊元側扉２ａ及び戸先側扉２ｂへの取付方法について図１１を参照して説明する。同図では、本偏心ピボット２０を戸先側扉２ｂに取り付ける場合が示されている。尚、戸先側扉２ｂには、本偏心ピボット２０の筒体部２２ｂが挿入される上記丸穴が設けられている。
まず、図１１に示すように、治具３０の支持体３２を戸先側扉２ｂの木口面２ｂ２に当接させるとともに、治具３０の鍔部３１を戸先側扉２ｂの上面２ｂ１との間に適宜な空間を空けて静止させる。そして、本偏心ピボット２０を、筒体部２２ｂを、例えば戸先側扉２ｂの上記丸穴に僅かに嵌挿しつつ、当該偏心ピボット２０のピボットシャフト１１ａを、当該ピボットシャフト１１ａの軸心が治具３０の「←戸先」の刻印のところに来るように合わせ、治具３０の鍔部３１の上面３１ｂを軽く叩いて本偏心ピボット２０を戸先側扉２ｂの上記丸穴に嵌挿させておき、この矩形状の鍔部２２ａを治具３０の矩形状の溝３１ｃ１に合わせるようにして位置決めしたところで、この鍔部３１の上面３１ｂを叩いて本偏心ピボット２０の鍔部２２ａを戸先側扉２ｂの上面２ｂ１に当接させ、本偏心ピボット２０の戸先側扉２ｂへの取り付けを完了させる（図１１の右端図）。したがって、かかる取付方法に拠っても、この取り付けを行う者にとっては一目瞭然に区別でき、戸惑ったり或いは嵌め込み違いをするというような問題が生ずることは一切ない。
ところで、本偏心ピボット２０を吊元側扉２ａに取り付ける場合についても、上述した戸先側扉２ｂへの取付方法に準じており、偏心ピボット２０のピボットシャフト１１ａを、当該ピボットシャフト１１ａの軸心が治具３０の「←吊元」の刻印のところに来るように合わせて行えばよい。
【産業上の利用可能性】
【００２６】
本発明の折戸の偏心ピボットの取付方法は、同一形状部品を類似した物品に取り付けする場合に、例えば類似した物品に識別マークを施し、当該識別マークに合わせて部品を取り付けできるようにしたものであり、このような方法は、広く一般的に利用されるものと言える。
【図面の簡単な説明】
【００２７】
【図１】本発明の第１の実施の形態に係る折戸の偏心ピボットの取付方法が適用される折戸の外観斜視図である。
【図２】図１の折戸の吊元側扉への取付方法の説明図である。
【図３】図１の折戸の戸先側扉への取付方法の説明図である。
【図４】図１の偏心ピボットの分解斜視図である。
【図５】図１の偏心ピボットの、図４とは異なる方向から視た分解斜視図である。
【図６】本発明の第２の実施の形態に係る折戸の偏心ピボットの外観斜視図である。
【図７】図６の偏心ピボットにおけるピボットケースの構成図である。
【図８】図６の偏心ピボットの構成図である。
【図９】本発明の第３の実施の形態に係る折戸の偏心ピボットの外観斜視図である。
【図１０】図９の偏心ピボットの取り付けに際して用いる治具の構成図である。
【図１１】図９の偏心ピボットついての取付方法の説明図である。
【図１２】従来の偏心ピボットの説明図である。
【符号の説明】
【００２８】
１，１０，２０        偏心ピボット
２                    折戸
２ａ                  吊元側扉
２ａ２                            吊元側扉の木口面
２ｂ２                            戸先側扉の木口面
４                    ピボットソケット
４ａ                  鍔部
５                    ピボットシャフト
１１                  従来のピボット
１２，２２            ピボットケース
１２ａ，２２ａ        鍔部
３０                  治具
３１                  鍔部
【図１】
2012149465.tif 000003
【図２】
2012149465.tif 000004
【図３】
2012149465.tif 000005
【図４】
2012149465.tif 000006
【図５】
2012149465.tif 000007
【図６】
2012149465.tif 000008
【図７】
2012149465.tif 000009
【図８】
2012149465.tif 000010
【図９】
2012149465.tif 000011
【図１０】
2012149465.tif 000012
【図１１】
2012149465.tif 000013
【図１２】
2012149465.tif 000014